(57)【要約】【課題】未確認メール等を受け取れる可能性を高める。【解決手段】受信部と送信部とを有する端末装置であって、前記受信部で受信した受信情報に、前記受信情報を識別するＩＤと受信日時とを含めて保存する受信情報保存部と、前記受信情報保存部に保存されている前記受信日時に基づいて、所定時間内に確認処理が行われていない場合に、未確認情報が発生したと判断する未確認情報発生判断部と、前記未確認情報発生判断部により未確認情報が発生したと判断された場合に、前記端末装置とは異なる他端末装置のＩＤと送信先情報とを保存する端末情報保存部内で他端末装置の検索を行う端末検索部と、を有し、前記端末検索部において検索された前記他端末装置の送信先情報に基づいて、未確認情報がある旨の報知情報を前記送信部から前記他端末装置へ送信することを特徴とする端末装置。【選択図】図１Ａ
2015050682.tif 000002
【特許請求の範囲】
【請求項１】
受信部と送信部とを有する端末装置であって、
前記受信部で受信した受信情報に、前記受信情報を識別するＩＤと受信日時又は着信日時とを含めて保存する受信情報保存部と、
前記受信情報保存部に保存されている前記受信日時に基づいて、所定時間内に確認処理が行われていない場合に、未確認情報が発生したと判断する未確認情報発生判断部と、
前記未確認情報発生判断部により未確認情報が発生したと判断された場合に、前記端末装置とは異なる他端末装置のＩＤと送信先情報とを保存する端末情報保存部内で他端末装置の検索を行う端末検索部と、を有し、
前記端末検索部において検索された前記他端末装置の送信先情報に基づいて、未確認情報がある旨の報知情報を前記送信部から前記他端末装置へ送信することを特徴とする端末装置。
【請求項２】
前記未確認情報発生判断部は、
前記受信日時と現在時刻とを比較し、所定時間以上の間、未確認である場合に未確認発生と判断することを特徴とする請求項１に記載の端末装置。
【請求項３】
前記端末検索部は、
前記他端末装置からの応答情報から得られる受信レベルに基づいて、受信レベルが高い他端末装置を優先することを特徴とする請求項１又は２に記載の端末装置。
【請求項４】
前記端末検索部は、
前記他端末装置の位置情報に基づいて、位置が近い他端末装置を優先することを特徴とする請求項１又は２に記載の端末装置。
【請求項５】
前記端末検索部は、
前記端末情報保存部に登録された前記他端末装置の優先順位に基づいて、優先順位の高い他端末装置を優先することを特徴とする請求項１又は２に記載の端末装置。
【発明の詳細な説明】
【技術分野】
【０００１】
本発明は、端末装置に関し、より詳細には、端末装置における不在通知技術に関する。
【背景技術】
【０００２】
携帯端末装置などにおいて、不在着信、または未確認メールの存在を所持者に通報することで、利便性を向上さるための技術としては、例えば、特許文献１などが知られている。
【０００３】
特許文献１では、無線通信回線を介して受けた発呼に対し、応答操作がなされなかった不在着信、または着信した電子メールに対する確認操作がなされなかった未確認メールの存在を、スピーカ、バイブレータ、着信ＬＥＤの何れかを用いて通報することで、このような着信が存在することを携帯端末の所持者に有効に通知することができるようにしている。
【先行技術文献】
【特許文献】
【０００４】
【特許文献１】特開２００２−３１９９９６号公報
【発明の概要】
【発明が解決しようとする課題】
【０００５】
上記特許文献１に開示された技術は、ユーザが不在着信や未確認メールの存在を確認するまで、定期的に音、振動、ＬＥＤ点灯などで継続的に通知を行う技術である。
しかしながら、携帯電話が鞄の中に入っている場合などは、ユーザが通知に気が付かないため、未確認メール等を受け取れなくなる可能性が高いという問題があった。
本発明は、未確認メール等を受け取れる可能性を高めることを目的とする。
【課題を解決するための手段】
【０００６】
本発明の一観点によれば、受信部と送信部とを有する端末装置であって、前記受信部で受信した受信情報に、前記受信情報を識別するＩＤと受信日時又は着信日時とを含めて保存する受信情報保存部と、前記受信情報保存部に保存されている前記受信日時に基づいて、所定時間内に確認処理が行われていない場合に、未確認情報が発生したと判断する未確認情報発生判断部と、前記未確認情報発生判断部により未確認情報が発生したと判断された場合に、前記端末装置とは異なる他端末装置のＩＤと送信先情報とを保存する端末情報保存部内で他端末装置の検索を行う端末検索部と、を有し、前記端末検索部において検索された前記他端末装置の送信先情報に基づいて、未確認情報がある旨の報知情報を前記送信部から前記他端末装置へ送信することを特徴とする端末装置が提供される。
【発明の効果】
【０００７】
本発明によれば、未確認メール等を受け取れる可能性を高めることができる。
【図面の簡単な説明】
【０００８】
【図１Ａ】本発明の実施の形態による端末装置の一構成例を示す機能ブロック図である。
【図１Ｂ】検索する側の端末装置Ａと、検索される側の端末装置（以下、「他端末装置」と称する）Ｂとを含むシステムの一構成例を示す図である。
【図１Ｃ】本発明の第５の実施の形態によるシステム構成例を示す機能ブロック図であり、図１Ｂに対応する図である。
【図２】受信情報保存部への受信情報の登録処理の流れを示すフローチャート図である。
【図３】受信情報保存部からの受信情報の削除処理の流れを示すフローチャート図である。
【図４】未確認情報の判断処理の一例を示すフローチャート図である。
【図５】Ｗｉ−Ｆｉを利用した検索処理の流れを示すフローチャート図である。
【図６】Ｂｌｕｅｔｏｏｔｈ（登録商標、以下同様）を利用した検索する処理の流れを示すフローチャート図である。
【図７】受信レベルを利用した未確認情報の送信先の選別処理を示すフローチャート図である。
【発明を実施するための形態】
【０００９】
以下、本発明の実施の形態による端末装置について、携帯端末装置、例えばスマートフォンを例にして図面を参照しながら詳細に説明する。
【００１０】
（第１の実施の形態）
まず、本発明の第１の実施の形態について説明する。図１Ａは、本実施の形態による端末装置の一構成例を示す機能ブロック図である。図１Ａに示すように、端末装置Ａは、制御部（ＣＰＵ）１と、受信部３、送信部５、受信情報保存部７、未確認情報発生判断部１１、端末情報保存部１５、端末検索部１７を有する。
【００１１】
図１Ｂは、検索する側の端末装置Ａと、検索される側の端末装置（以下、「他端末装置」と称する）Ｂとの構成例を示す図である。端末装置Ａと他端末装置Ｂとの間はネットワーク（インターネット、電話網など）により接続可能である。他端末装置Ｂは複数であっても良い。
【００１２】
制御部１は、以下の各機能ブロックの動作、情報の入出力などを制御する機能を持つ。
受信部３は、３Ｇ／ＬＴＥ等の携帯通信部、Ｗｉ−Ｆｉ通信部、或いはＢｌｕｅｔｏｏｔｈ通信部等の受信部などで構成される。メール受信や電話着信、受話等の機能における受信情報や、他端末装置Ｂを検索する際に他端末装置Ｂからの応答情報を受信する機能を持つ。
【００１３】
送信部５は、３Ｇ／ＬＴＥ等の携帯通信部、Ｗｉ−Ｆｉ通信部、或いはＢｌｕｅｔｏｏｔｈ通信部等の送信部で構成される。メール送信や電話発信、送話等の機能における送信情報や、他端末装置Ｂを検索する際に他端末装置Ｂへの報知情報を送信する機能を持つ。
【００１４】
受信情報保存部７は、メール受信、或いは、通話の着信において、使用者により確認されていない情報があることを保存しておく。受信情報保存部７に保存される情報は、例えば、表１に例を示す通り、メールアプリや通話アプリにより、受信した受信情報と関連づいたＩＤ（識別子）と、対応する情報であり、例えば、電子メールのアプリケーションであれば、メール受信時刻、メール送信元アドレスなどである。メール本文を含んでも良い。また、通話アプリケーションであれば、着信時刻、発信元の電話番号等である。
【００１５】
【表１】
2015050682.tif 000003
【００１６】
未確認情報発生判断部１１は、受信情報保存部７に保存されたＩＤ情報において、端末装置Ａにおいて、所定時間以上未確認のまま（既読になっていない等）の情報があるかどうかを判断する機能を有する。
【００１７】
表１に示すように、ＩＤ情報には、例えばメールアプリで受信した受信データの受信時刻や、送信元のメールアドレス、メール本文等が関連付けされている。この受信時刻と現在時刻とを比較することで、ＩＤと関連付けられた受信メールが所定時間以上、未確認であるか否かを判断することができる。
【００１８】
【表２】
2015050682.tif 000004
【００１９】
端末情報保存部１５は、後述する端末検索部１７において検索対象とする他端末装置Ｂの情報を登録する。表２は、端末情報の例を示すものである。検索対象となる他端末装置Ｂは、使用者により設定される。登録する情報には、他端末装置Ｂを識別するための情報、例えば、Ｗｉ−Ｆｉ通信部のもつＭＡＣアドレス、Ｂｌｕｅｔｏｏｔｈ通信部のもつＢＤアドレスが登録される。また、登録する他端末装置Ｂ毎に優先順位を設定し、複数の候補の中から１つの他端末装置Ｂを選択するための情報として利用することもできる。
【００２０】
尚、ＭＡＣアドレス（Ｍｅｄｉａ Ａｃｃｅｓｓ Ｃｏｎｔｒｏｌアドレス）はイーサネット（登録商標）などＩＥＥＥ８０２．ｘ規格で使われているネットワーク（ＮＩＣ）を識別するための４８ビットアドレスであり、ＢＤアドレス（Ｂｌｕｅｔｏｏｔｈ Ｄｅｖｉｃｅアドレス）は、Ｂｌｕｅｔｏｏｔｈデバイスを識別するための４８ビットアドレスである。
【００２１】
端末検索部１７は、未確認情報発生判断部１１において、所定時間以上の間、未確認の情報ありと判断された場合に、端末情報保存部１５に予め登録されている他端末装置Ｂを検索する機能を持つ。送信部５から、他端末装置Ｂを検索するための報知情報を送信することで、受信部３で他端末装置Ｂからの応答情報を受信する。この応答情報から他端末装置ＢのＭＡＣアドレスやＢＤアドレスを取得し、端末情報保存部１５に予め登録されているＭＡＣアドレスやＢＤアドレスと比較することで検索することができる。
【００２２】
また、端末検索部１７は、他端末装置Ｂからの応答情報から得られる受信レベル（電波強度情報）や別途取得する位置情報と、端末情報保存部１５に登録された優先順位を利用して、検索された他端末装置Ｂから近くにいると推定される１つの他端末装置を選択する機能も持つ。
次に、処理内容の詳細について詳細に説明する。
【００２３】
まず、端末情報保存部１５への情報登録（事前準備）処理について説明する。端末装置Ａの使用者は、未確認情報があることを通知する端末装置Ａとは異なる他端末装置Ｂの情報を、端末情報保存部１５に予め登録しておく必要がある。ここでは、使用者による事前準備として、端末情報保存部１５への他端末装置Ｂの情報の登録について説明する。
【００２４】
登録される情報は、他端末装置Ｂを特定することが可能な情報とする必要があるため、例えば、ここではＷｉ−Ｆｉ機能のＭＡＣアドレスやＢｌｕｅｔｏｏｔｈ機能のＢＤアドレスを利用する。ＭＡＣアドレス／ＢＤアドレスは、Ｗｉ−Ｆｉ機能やＢｌｕｅｔｏｏｔｈ機能に固有のアドレスとなるため、その端末装置を特定することができる。
【００２５】
Ｗｉ−Ｆｉ機能を利用する場合には、使用者のＷｉ−Ｆｉ機能に所定のＳＳＩＤを設定した後のＡＰモードで起動させ、登録させたい他端末装置ＢからＷｉ−Ｆｉで接続させることができる。この接続の際に、ＭＡＣアドレスがやり取りされるため、使用者の端末装置Ａ側において登録させたい他端末装置ＢのＭＡＣアドレスを、Ｗｉ−Ｆｉ通信部等から取得して登録情報とすることが出来る。
【００２６】
また一方で、登録した他端末装置Ｂ側では、端末装置ＡのＷｉ−ＦｉのＡＰのＳＳＩＤを端末装置Ａに登録するものとする。このようにすることで、以降に登録済みのＡＰ（ＳＳＩＤ）が見つかるとＷｉ−Ｆｉ接続しようと試み、その際にＭＡＣアドレスのやり取りが行われるようになる。この動作は、例えば、ＡｎｄｒｏｉｄのスマートフォンやＰＣなどでも一般的な動作となる。
【００２７】
Ｂｌｕｅｔｏｏｔｈ機能を利用する場合は、他のＢｌｕｅｔｏｏｔｈ端末を検索する機能がＢｌｕｅｔｏｏｔｈ自体の機能としてある。従って、使用者の端末装置から、Ｂｌｕｅｔｏｏｔｈ端末を検索し、登録させたい他端末装置Ｂを選択することで、他端末装置ＢのＢＤアドレスを取得して、登録情報とすることが出来る。
【００２８】
取得したＭＡＣアドレス／ＢＤアドレスは、表２に示すように、Ｗｉ−Ｆｉ機能、Ｂｌｕｅｔｏｏｔｈ機能毎に端末情報保存部１５に登録しておく。また、未確認情報があることを通知する相手先が複数個見つかった場合に、相手先を１つに選択するために、表２に示すように、登録先毎に優先順位を設定しておくと良い。
【００２９】
以下に未確認情報の判定処理の例について説明する。図２から図４までの処理は非同期に動作させる。
【００３０】
図２は、受信情報保存部７への受信情報の登録処理の流れを示すフローチャート図である。ステップＳ１で処理が開始され（Ｓｔａｒｔ）、ステップＳ２でメール或いは通話の着信を検出し、ステップＳ３で、メール或いは通話の受信情報と関連付けたＩＤが制御部１により発行され、そのＩＤを受信情報保存部７に保存する。ここで、ＩＤと関連づく受信情報は、例えば、上記の表１に示す通りである。ステップＳ４で当該処理を終了する（ｅｎｄ）。
【００３１】
図３は、受信情報保存部７からの受信情報の削除処理の流れを示すフローチャート図である。ステップＳ１１で処理が開始し（Ｓｔａｒｔ）、ステップＳ１２で、使用者により、メール、或いは通話の着信履歴の確認操作が検出されると、ステップＳ１３で、確認された受信情報は、その受信情報と関連づいたＩＤを管理する制御部１により、受信情報保存部７からＩＤが削除され、処理が終了する（Ｅｎｄ：ステップＳ１４）。これにより、確認済みの受信情報を削除して無駄な他端末装置Ｂへの通知依頼を抑制する。
【００３２】
図４は、未確認情報の判断処理の一例を示すフローチャート図である。
端末装置Ａでは、上記の図２、３に示す処理により、不定期に受信情報保存部７にＩＤが登録されたり、削除されたりしている。
【００３３】
ステップＳ２１において処理が開始され（Ｓｔａｒｔ）、未確認情報発生判断部１１は、以下の処理により未確認情報の有り、無し、を判断する。まず、ステップＳ２２において、受信情報保存部７にＩＤが有るかどうかを確認する。ステップＳ２２でＹｅｓの場合、ステップＳ２３において、受信情報保存部７に存在したＩＤの全てについて、このＩＤと関連づいた受信情報から、受信時刻を取得する。ステップＳ２４において、全ての受信時刻と現在時刻とを比較し、所定時間（例えば５分）以上経過したものがあるかどうかを確認する（ステップＳ２５）。
【００３４】
ステップＳ２５で、所定時間以上経過した受信情報があれば（Ｙｅｓ）、「未確認情報有り」として判断をする（ステップＳ２６）。所定時間以上経過した受信情報がなければ（Ｎｏ）、「未確認情報無し」として処理を終了する（ステップＳ２７：Ｅｎｄ）。ステップＳ２２でＮｏの場合も処理を終了する。尚、図４の判断処理は、定期的（例えば１分毎）に繰り返し処理されるものである。
【００３５】
次に、上記の処理により予め登録された通知先端末装置の検索について説明する。登録済みの他端末装置Ｂの検索については、Ｗｉ−Ｆｉの例を１）、Ｂｌｕｅｔｏｏｔｈの例を２）において説明する。なお、これらは例示であり、その他の通信方式を利用した検索であっても良い。ここでは、１）、２）のいずれか、或いは、両方を利用しても良い。
【００３６】
１）Ｗｉ−Ｆｉの例
図５は、Ｗｉ−Ｆｉを利用した検索処理の流れを示すフローチャート図である。未確認情報発生判断部１１において、「未確認情報有り」と判断されると、ステップＳ３１において処理が開始され（Ｓｔａｒｔ）、ステップＳ３２において、Ｗｉ−Ｆｉ機能をＡＰモードで起動する。これにより、送信部５からビーコン情報が定期的（通常１００ｍｓ周期）に送信される。ビーコン情報には、ＳＳＩＤや、使用者の端末のＭＡＣアドレスなどが含まれる。
これに伴い、制御部１はタイマ１ａを起動し、他端末装置Ｂを検索する期間（例えば３０秒）を設定する（ステップＳ３３）。この期間、他端末装置Ｂを検索する。
【００３７】
使用者の端末装置Ａの周囲に存在するＷｉ−Ｆｉクライアント機器である他端末装置Ｂは、上記のビーコン情報を受信することで、使用者の端末装置ＡのアクセスポイントＡＰと接続しようとする。通常は、以前接続したことのあるアクセスポイントＡＰや、事前に登録してあるアクセスポイントＡＰを発見するとアクセスポイントＡＰへの接続を試みるが、接続を試みる条件はこのような場合に限定されない。よって、受信部３には、他端末装置Ｂ以外のＷｉ−Ｆｉクライアント機器からの応答情報が任意に受信される。
【００３８】
仮に、受信情報が応答されない場合は（ステップＳ３４でＮｏ）、ステップＳ３６においてタイマ値Ｎを減算してき、タイマ１ａで設定された期間を過ぎると（ステップＳ３７でＹｅｓ）、検索を終了する。
【００３９】
受信情報が応答されると（ステップＳ３４でＹｅｓ）、受信部３のＷｉ−Ｆi機能に受信情報が保持される（ステップＳ３５）。この受信情報には、Ｗｉ−Ｆｉクライアント機器のＭＡＣアドレスや受信したときの受信レベルなどが含まれる。タイマ期間が満了するまで、Ｗｉ−Ｆｉクライアント機器の検索を繰り返し（ステップＳ３４からステップＳ３６）、応答された受信情報を蓄積していく。
【００４０】
タイマが満了すると検索を終了し（ステップＳ３７でＹｅｓ）、蓄積した受信情報のＭＡＣアドレスと、端末情報保存部１５に登録してある他端末装置ＢのＭＡＣアドレスとを比較して、一致するものがあるかどうかを調べる（ステップＳ３８）。一致した端末装置は、全て検索端末情報記憶部７ａに保持し（ステップＳ３９）、最終的にはステップＳ４０で処理を終了する。
【００４１】
２）Ｂｌｕｅｔｏｏｔｈの例
図６は、Ｂｌｕｅｔｏｏｔｈを利用した検索処理の流れを示すフローチャート図である。
処理が開始され（ステップＳ４１：  Ｓｔａｒｔ）、ステップＳ４２において、Ｂｌｕｅｔｏｏｔｈ機能により他端末装置Ｂを検索する。すなわち、未確認情報発生判断部１１において、「未確認情報有り」と判断すると、Ｂｌｕｅｔｏｏｔｈ機能を利用して他端末装置を検索する。Ｂｌｕｅｔｏｏｔｈ機能には、他のＢｌｕｅｔｏｏｔｈ機器の検索機能があるため、これを利用すれば良い。
これに伴い、制御部１はタイマ１ａを起動させ、他端末装置Ｂを検索する期間（例えば３０秒）を設定する（ステップＳ４３）。この期間、他端末装置Ｂを検索する。
【００４２】
周囲にいるＢｌｕｅｔｏｏｔｈの他端末機器Ｂは、使用者の端末装置Ａの検索処理に応じて受信情報を応答する。この受信情報には、ＢＤアドレスや、受信レベル等の情報が含まれる。Ｂｌｕｅｔｏｏｔｈの他端末機器Ｂからの応答がないと（ステップＳ４４でＮｏ）、ステップＳ４６においてタイマ値Ｎを減算してき、タイマ１ａで設定された期間を過ぎると（ステップＳ４７でＹｅｓ）、検索が終了する。
【００４３】
ステップＳ４４において受信情報が応答ありとされると（Ｙｅｓ）、受信部３のＢｌｕｅｔｏｏｔｈ機能に受信情報が保持される（ステップＳ４５）。この受信情報には、Ｂｌｕｅｔｏｏｔｈ機器のＢＤアドレスや受信したときの受信レベルなどが含まれる。
【００４４】
タイマ期間が満了するまで（Ｎ＝０になるまで）、Ｂｌｕｅｔｏｏｔｈ機器の検索を繰り返し、応答された受信情報を蓄積する。
【００４５】
タイマが満了すると（ステップＳ４７でＹｅｓ）検索を終了し、蓄積した受信情報のＢＤアドレスと、端末情報保存部１５に予め登録されている他端末装置ＢのＢＤアドレスを比較して一致するものがあるかどうかを調べる（ステップＳ４８）。そして、一致した他端末装置Ｂは、全て検索端末情報記憶部７ａに保持する（ステップＳ４９）。以上により、処理を終了する（Ｅｎｄ：  ステップＳ５０）。以上が、予め登録された他端末装置Ｂを検索する処理である。
次に、未確認情報の送信先の選別処理について説明する。
【００４６】
図７は、受信レベルを利用した未確認情報の送信先の選別処理を示すフローチャート図である。
まず、処理を開始し（Ｓｔａｒｔ：  ステップＳ５１）、端末情報保存部１５に登録してある他端末装置ＢのＭＡＣアドレス、或いはＢＤアドレスと一致した装置は、検索端末情報記憶部７ａに保持されており、それぞれの受信情報を受信した際の受信レベルを比較する（ステップＳ５２）。そして、他端末装置の候補の中から、最も受信レベルの高かった登録済みの他端末装置を選択する（ステップＳ５３）。
【００４７】
ここで、同じ受信レベルの他端末装置候補が見つかった場合、或いは、Ｗｉ−ＦｉとＢｌｕｅｔｏｏｔｈとの両方で検索を行い、それぞれで受信レベルが最大の異なる他端末装置が見つかった場合には（ステップＳ５４でＹｅｓ）、端末情報保存部１５の登録情報から、優先順位を参照し、その順位が最も高い他端末装置を選択すると良い（ステップＳ５５）。選択された他端末装置Ｂを、未確認情報の送信先として決定し（ステップＳ５６）、処理を終了する（Ｅｎｄ：  ステップＳ５７）。
【００４８】
次いで、未確認情報の送信処理について説明する。上記の処理により、未確認情報の送信先が決定すると（図７のステップＳ５６）、送信部５により未確認情報の選択された他端末装置Ｂへの送信を行う。
【００４９】
未確認情報の送信方法としては、電子メールによる送信、電話番号へのショートメッセージ送信による送信、電話番号への発呼（伝言の読み上げなどにより、内容を伝える）などを用いることができる。
【００５０】
また、他端末装置Ｂに送信する未確認情報の通知内容としては、例えば、以下のような例が挙げられる。
【００５１】
（通知例）
１）「私に不在着信があると伝えてほしい」などの定型文での通知。
２）未確認情報の「相手」、「受信時刻」、メール受信においては「メールの件名」などの内容を含めた通知。
【００５２】
以上の処理により、鞄等の中に端末装置Ａを入れており、不在着信等の通知などに気づかない場合でも、不在着信等が端末装置Ａにあったことを他端末装置Ｂに通知することで、他端末装置Ｂの使用者などにより、端末装置Ａの使用者へ知らせてくれることが期待できる。従って、端末装置Ａの使用者は、不在着信等があったことに気づく可能性を高めることができる。
【００５３】
（第２の実施形態）
次に、本発明の第２の実施の形態について説明する。本実施の形態では、第１の実施の形態における受信レベルを利用した未確認情報の送信先の選別に代えて、位置情報を利用した未確認情報の送信先の選別を行う。すなわち、ＧＰＳ／ＩＭＥＳによる位置情報をＷｉ−Ｆｉ等を通じて、使用者の端末装置Ａで取得することにより、送信先を選別することも可能である。
【００５４】
本実施の形態では、通信路をＷｉ−Ｆｉとし、予め使用者の端末装置Ａと、登録済みの他端末装置Ｂとに、位置情報を通知するためのアプリケーションをインストールするなどして利用可能な状態としておき、このアプリケーションを利用して、端末装置Ａ−他端末装置Ｂ間でパケット通信により位置情報を取得するものである。室内外のシームレス測位を行う方法としては、以下の公知の方法がある。
（ＩＭＥＳ：http://keiosdm.sakura.ne.jp/imesconsortium/）
使用者の端末装置Ａ自身の位置情報と、上記の方法により取得された他端末装置Ｂの位置情報とを比較し、最も近くにいると判定された他端末装置Ｂを未確認情報の送信先として決定するようにしても良い。
【００５５】
第１の実施の形態では、最も受信レベルの高かった登録済みの他端末装置Ｂを選択したが、本実施の形態では、最も近くにいると判定された他端末装置Ｂを未確認情報の送信先として決定することで、他端末装置Ｂの利用者による端末装置Ａの利用者への報告が行いやすい（近い）位置にある他端末装置を送信先として優先することができる。
【００５６】
（第３の実施形態）
次に、本発明の第３の実施の形態について説明する。本実施の形態では、未確認情報の送信について、検索された全ての他端末装置Ｂに対して、送信部５により未確認情報の送信を行うことを特徴とする。
【００５７】
送信方法としては、例えば、以下のものが挙げられる。
１）メール送信
２）電話番号へのショートメッセージ送信
３）電話番号への発呼（伝言の読み上げなどにより、内容を伝える）
また、送信する未確認情報の通知内容としては、例えば、以下のものが挙げられる。
１）「私に不在着信があると伝えてほしい」などの定型文での通知。
２）未確認情報の「相手」、「受信時刻」や、メール受信においては「メールの件名」などの内容を含めた通知。
【００５８】
ここで、送信先に応じて送信する通知内容を切り替えても良い。より具体的には、端末情報保存部１５に設定されている相手先ごとの通知内容の設定に従う。
【００５９】
通知内容の設定は、例えば、「定型文のみ」、「受信時刻のみ」、「相手先と受信時刻」、「相手先、受信時刻、件名」などの設定を行うことができる。
【００６０】
以上により、鞄等の中に端末装置を入れており、不在着信等の通知などに気づかない場合でも、不在着信等があったことを他の端末に通知する事で、他の端末の使用者が、携帯端末の使用者へ知らせてくれることで、携帯端末の使用者は、不在着信等を気づく可能性を高くすることが出来る。
【００６１】
（第４の実施形態）
第３の実施形態では、検索された全ての他端末装置Ｂに対して、送信部５により未確認情報の送信を行うが、第４の実施の形態では、所定の台数だけ送信を行うことを特徴とする。
【００６２】
本実施の形態では、端末検索部１７により検索された全ての他端末装置Ｂに対してではなく、第１、２の実施の形態で選別した基準（受信レベルの高低、距離の遠近）の順番に利用者への通知が期待できる他端末装置Ｂを任意の台数だけ選択して優先順（受信強度が高い順番、距離が近い順番など）に選択しても良い。
【００６３】
また、任意の台数を、重要度や受信強度の高さ、距離の近さに依存させて、伝わりにくい状況（受信強度が低い、距離が遠い）の場合には、より台数を多くする等の設定を行っても良い。
【００６４】
これにより、適した通知先のみを選択しつつ、通知を受ける可能性を高めることができる。また、状況に応じて、台数を増減して効率（他端末装置Ｂの利用者からの通知期待率／他端末装置Ｂへの送信数）を高めることができる。
【００６５】
（第５の実施形態）
図１Ｃは、本発明の第５の実施の形態によるシステム構成例を示す機能ブロック図であり、図１Ｂに対応する図である。本実施の形態では、端末装置Ａと他端末装置Ｂとが代理サーバＣを介して接続されることを特徴とする。この場合には、図１Ａの、構成のうち、受信情報保存部７、未確認情報発生判断部１１、端末情報保存部１５、端末検索部１７などのうち少なくともいずれかの機能を代理サーバＣ内に持たせるようにする。すると、本発明の各実施の形態における端末装置Ａと同様の機能を持たせつつ、代理サーバＣに端末装置Ａと他端末装置Ｂとの仲介（機能の代理）を行わせることで、携帯端末自体の機能を追加せずに、同様の処理を行うことができる。
【００６６】
以上に説明したように、本発明の各実施の形態による端末装置によれば、端末装置の使用者が、鞄等の中に端末装置を入れており、不在着信等の通知などに気づかない場合でも、不在着信等があったことを他の端末装置に通知することで、他の端末装置の使用者が、端末装置の使用者へ知らせてくれることを期待できるため、端末装置の使用者が不在着信等を気づく可能性を高めることが出来る。
【００６７】
処理および制御は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）によるソフトウェア処理、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）によるハードウェア処理によって実現することができる。
【００６８】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００６９】
また、端末装置という用語は、電子メールの送受信機能を備えていれば、装置の形態等により限定的に解釈されるべきではない。
【００７０】
また、本発明の各構成要素は、任意に取捨選択することができ、取捨選択した構成を具備する発明も本発明に含まれるものである。
【００７１】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００７２】
また、「コンピュータシステム」は、ＷＷＷシステムを利用している場合であれば、ホームページ提供環境（あるいは表示環境）も含むものとする。
【００７３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【００７４】
（付記）
本発明は、以下の開示を含む。
（１）
受信部と送信部とを有する端末装置であって、
前記受信部で受信した受信情報に、前記受信情報を識別するＩＤと受信日時（又は着信日時）とを含めて保存する受信情報保存部と、
前記受信情報保存部に保存されている前記受信日時に基づいて、所定時間内に確認処理が行われていない場合に、未確認情報が発生したと判断する未確認情報発生判断部と、
前記未確認情報発生判断部により未確認情報が発生したと判断された場合に、前記端末装置とは異なる他端末装置のＩＤと送信先情報とを保存する端末情報保存部内で他端末装置の検索を行う端末検索部と、を有し、
前記端末検索部において検索された前記他端末装置の送信先情報に基づいて、未確認情報がある旨の報知情報を前記送信部から前記他端末装置へ送信することを特徴とする端末装置。
これにより、未確認メール等を受け取れる可能性を高めることができる。
（２）
前記未確認情報発生判断部は、
前記受信日時と現在時刻とを比較し、所定時間以上の間、未確認である場合に未確認発生と判断することを特徴とする（１）に記載の端末装置。
これにより、未確認情報等の有無を精度良く判定することができる。
（３）
前記端末検索部は、
前記他端末装置からの応答情報から得られる受信レベルに基づいて、受信レベルが高い他端末装置を優先することを特徴とする（１）又は（２）に記載の端末装置。
これにより、未確認メール等を受け取れる可能性が高い他端末装置を選別することができる。
（４）
前記端末検索部は、
前記他端末装置の位置情報に基づいて、位置が近い他端末装置を優先することを特徴とする（１）又は（２）に記載の端末装置。
これにより、未確認メール等を受け取れる可能性が高い他端末装置を選別することができる。
（５）
前記端末検索部は、
前記端末情報保存部に登録された前記他端末装置の優先順位に基づいて、優先順位の高い他端末装置を優先することを特徴とする（１）又は（２）に記載の端末装置。
これにより、未確認メール等を受け取れる可能性が高い他端末装置を選別することができる。
（６）
前記受信情報は、着信通知、受信したメールの少なくとも一つであることを特徴とする（１）から（５）までのいずれか１に記載の端末装置。
（７）
前記未確認情報に関する情報は、未確認情報が存在することを報知する内容であることを特徴とする（１）から（５）までのいずれか１に記載の端末装置。
これにより、未確認情報の存在を知ることができる。
（８）
前記未確認情報に関する情報は、特定の使用者へ未確認情報を確認すべきことを報知する内容であることを特徴とする（１）から（５）までのいずれか１に記載の端末装置。  
これにより、未確認情報の内容を知ることができる。
（９）
受信部と送信部とを有する端末装置における制御方法であって、
前記受信部で受信した受信情報に、前記受信情報を識別するＩＤと受信日時（又は着信日時）とを含めて保存する受信情報保存ステップと、
前記受信情報保存ステップで保存された前記受信日時に基づいて、所定時間内に確認処理が行われていない場合に、未確認情報が発生したと判断する未確認情報発生判断ステップと、
前記未確認情報発生判断ステップにより未確認情報が発生したと判断された場合に、前記端末装置とは異なる他端末装置のＩＤと送信先情報とを保存する端末情報保存ステップにおいて他端末装置の検索を行う端末検索ステップと、を有し、
前記端末検索ステップにおいて検索された前記他端末装置の送信先情報に基づいて、未確認情報がある旨の報知情報を前記送信部から前記他端末装置へ送信することを特徴とする端末装置の制御方法。
（１０）
コンピュータに（９）に記載の方法を実行させるためのプログラム。
【産業上の利用可能性】
【００７５】
本発明は、端末装置に利用可能である。
【符号の説明】
【００７６】
Ａ…端末装置、１…制御部（ＣＰＵ）、３…受信部、５…送信部５、７…受信情報保存部、１１…未確認情報発生判断部、１５…端末情報保存部、１７…端末検索部、Ｂ…他端末装置，Ｃ…代理サーバ。
【図１Ａ】
2015050682.tif 000005
【図１Ｂ】
2015050682.tif 000006
【図１Ｃ】
2015050682.tif 000007
【図２】
2015050682.tif 000008
【図３】
2015050682.tif 000009
【図４】
2015050682.tif 000010
【図５】
2015050682.tif 000011
【図６】
2015050682.tif 000012
【図７】
2015050682.tif 000013